(57)【要約】【課題】屋外使用でありながら定期的なメンテナンスを必要とすることなく所定の照射光量を維持することができる照明器具を提供することにある。【解決手段】筐体フレーム４０と筐体カバー５０との一体化で形成された空間内に光源ユニット１０が収容固定されてなる照明器具１において、筐体フレーム４０の前板部４１に設けられて光源ユニット１０のカバーレンズ３０の一部が露出する窓孔４３の周縁部を内側に曲げて折曲部４４を形成した。これにより、照明器具１の内部に侵入した雨水は折曲部４４で堰き止められて窓孔４３の折曲部４４の先端４４ａと窓孔４３から露出するカバーレンズ３０のレンズ部３１との間隙からは雨水が排出されるおそれはない。【選択図】図１３
2019008979.tif 000002
【特許請求の範囲】
【請求項１】
前板部、前記前板部から立ち上がる側板部及び前記前板部の対向位置に位置する開口を有する筐体フレームと、
前記筐体フレームの前記開口側を覆うように前記筐体フレームと一体化された筐体カバーと、
前記筐体フレームと前記筐体カバーとの一体化で形成された空間内に収容固定された光源ユニットと、を備え、
前記光源ユニットは、カバーレンズとハウジングとで形成された気密空間内に光源が収容された構成を有すると共に前記前板部に取り付けられており、
前記前板部は、前記光源ユニットの前記カバーレンズの一部が露出する窓孔を有し、
前記窓孔の端部と前記光源ユニットの前記カバーレンズとの間に隙間を有すると共に前記窓孔の、前記端部を含む周縁部が内側に曲げられていることを特徴とする照明器具。
【請求項２】
前記光源ユニットは、前記筐体フレームの前板部に立設されたボスを介して取り付けられていれることを特徴とする請求項１に記載の照明器具。
【請求項３】
前記筐体カバーは、前記光源ユニットと対向する位置に該光源ユニットからの熱を排熱する排熱孔を備え、前記筐体フレームは前記前板部と前記側板部の間に水抜き孔が設けられていることを特徴とする請求項１又は請求項２のいずれかに記載の照明器具。
【請求項４】
前記光源ユニットは、前記ハウジングの、前記カバーレンズと反対側に光源の発熱を放熱する放熱フィンを有していることを特徴とする請求項１〜請求項３のいずれかに記載の照明器具。
【請求項５】
屋外において前記筐体フレームの前記前板部を下方に向けて用いられることを特徴とする請求項１〜請求項４のいずれかに記載の照明器具。
【発明の詳細な説明】
【技術分野】
【０００１】
本発明は、照明器具に関するものであり、詳しくは、屋外使用の照明器具に関する。
【背景技術】
【０００２】
従来、この種の照明器具としては、特許文献１に「照明器具」の名称で開示されたものがある。
【０００３】
開示された照明器具は図１４にあるように、本体部（器具本体）８０とカバー８１とがホットメルト８２を介在して一体化され、その内部空間８３に、複数の発光素子８４を実装した基板（第１の基板）８５と複数の発光素子８４の点灯制御を行う回路部品を実装した基板（第２の基板）８６が設けられている。
【０００４】
第１の基板８５に実装された複数の発光素子８４は、カバー８１に対向配置されて夫々の発光素子８４からの出射光がカバー８１を透過して外部に向けて照射される。
【先行技術文献】
【特許文献】
【０００５】
【特許文献１】特許第６０６６２４０号
【発明の概要】
【発明が解決しようとする課題】
【０００６】
ところで、上記構成からなる照明器具９０は、主に屋外で街路灯として使用される。そのため、設置環境下で風雨や潮風に晒されることによりカバー８１の表面に水垢や塩分あるいは塵埃等の汚れが付着して光の透過率が低下し、時間と共に照射光量が減少するといった問題を有している。
【０００７】
この問題に対し、定期的に清掃等のメンテナンスを施すことによって照射光量の低下を防止することができるが、そのためにはメンテナンス毎にメンテナンス費用が発生してランジングコストの上昇を招くことになる。
【０００８】
そこで、本発明は上記問題に鑑みて創案なされたもので、その目的とするところは、屋外使用でありながら定期的なメンテナンスを必要とすることなく所定の照射光量を維持することができる照明器具を提供することにある。
【課題を解決するための手段】
【０００９】
上記課題を解決するために、本発明の請求項１に記載された発明は、前板部、前記前板部から立ち上がる側板部及び前記前板部の対向位置に位置する開口を有する筐体フレームと、  前記筐体フレームの前記開口側を覆うように前記筐体フレームと一体化された筐体カバーと、前記筐体フレームと前記筐体カバーとの一体化で形成された空間内に収容固定された光源ユニットと、を備え、前記光源ユニットは、カバーレンズとハウジングとで形成された気密空間内に光源が収容された構成を有すると共に前記前板部に取り付けられており、前記前板部は、前記光源ユニットの前記カバーレンズの一部が露出する窓孔を有し、前記窓孔の端部と前記光源ユニットの前記カバーレンズとの間に隙間を有すると共に前記窓孔の、前記端部を含む周縁部が内側に曲げられていることを特徴とするものである。
【００１０】
また、本発明の請求項２に記載された発明は、請求項１において、前記光源ユニットは、前記筐体フレームの前板部に立設されたボスを介して取り付けられていれることを特徴とするものである。
【００１１】
また、本発明の請求項３に記載された発明は、請求項１又は請求項２のいずれかにおいて、前記筐体カバーは、前記光源ユニットと対向する位置に該光源ユニットからの熱を排熱する排熱孔を備え、前記筐体フレームは前記前板部と前記側板部の間に水抜き孔が設けられていることを特徴とするものである。
【００１２】
また、本発明の請求項４に記載された発明は、請求項１〜請求項３のいずれかにおいて、前記光源ユニットは、前記ハウジングの、前記カバーレンズと反対側に光源の発熱を放熱する放熱フィンを有していることを特徴とするものである。
【００１３】
また、本発明の請求項５に記載された発明は、請求項１〜請求項４のいずれかにおいて、屋外において前記筐体フレームの前記前板部を下方に向けて用いられることを特徴とするものである。
【発明の効果】
【００１４】
本発明によれば、筐体フレームと筐体カバーとの一体化で形成された空間内に光源ユニットが収容固定されてなる照明器具において、筐体フレームの前板部に設けられて光源ユニットのカバーレンズの一部が露出する窓孔の周縁部を内側に曲げて折曲部を形成した。
これにより、照明器具の内部に侵入した雨水は折曲部で堰き止められて窓孔の折曲部の先端と窓孔から露出するカバーレンズの一部との間隙からは雨水が排出されるおそれはない。
【００１５】
その結果、カバーレンズの一部（レンズ部）に雨水による汚れが付着することがなく、レンズ部の光の透過率の低下を招くことがない。したがって、雨水の影響によって照明器具からの出射光量が減少するといった問題の発生は防止される。
【図面の簡単な説明】
【００１６】
【図１】本発明の照明器具に係る実施形態の平面図である。
【図２】図１のＡ−Ａ断面図である。
【図３】図１のＢ−Ｂ断面図である。
【図４】光源ユニットの平面図である。
【図５】図４のＣ−Ｃ断面図である。
【図６】図４のＤ−Ｄ断面図である。
【図７】筐体フレームの正面図である。
【図８】筐体フレームの背面斜視図である。
【図９】図７のＥ−Ｅ断面図である。
【図１０】図７のＦ−Ｆ断面図である。
【図１１】筐体フレームに光源ユニットを取り付けた状態の背面斜視図である。
【図１２】本発明の照明器具に係る実施形態の背面斜視図である。
【図１３】図３のＧ部拡大詳細図である。
【図１４】従来例の説明図である。
【発明を実施するための形態】
【００１７】
以下、この発明の好適な実施形態を図１〜図１３を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１８】
図１は本発明の照明器具に係る実施形態の平面図、図２は図１のＡ−Ａ断面図、図３は図１のＢ−Ｂ断面図である。
【００１９】
照明器具１は、複数（本実施形態においては８個）の光源ユニット１０、光源ユニット１０を取り付ける筐体フレーム４０及び筐体フレーム４０の蓋となる筐体カバー（図示せず）を備えている。
【００２０】
光源ユニット１０は、図４（平面図）、図５（図４のＣ−Ｃ断面図）、図６（図４のＤ−Ｄ断面図）に示すように、光源１１が実装された基板１２、ハウジング２０及びカバーレンズ３０を備えている。
【００２１】
そのうち、ハウジング２０は、アルミニウム等の熱伝導性に優れた金属材料で形成され、平面視で長手方向の両端部を絞り形状とする全体長尺形状を有し、裏面２１側には裏面２１のほぼ全面に亘って、裏面２１から立ち上がって所定の幅、長さ及び高さで後方に延びる複数の放熱フィン２２が所定の間隔で平行に並設されている。
【００２２】
ハウジング２０の表面２３側には、表面２３の、長手方向の両端部領域を除く周縁部に、該表面２３から周縁部に沿って環状に立ち上がって所定の幅及び高さで前方に延びる一対の立壁部２４が所定の間隔で互いに平行に対向配置されている。内側立壁部２４ａと外側立壁部２４ｂとからなる一対の立壁部２４で囲まれた内側の溝部２５は、後述するカバーレンズ３０の脚部３２が挿入されてシール固定される脚部シール溝の機能を有している。
【００２３】
ハウジング２０の両端近傍には、光源ユニット取付け用の一対の貫通孔２６が形成されている。
【００２４】
ハウジング２０の表面２３の、内側立壁部２４ａで囲まれた領域２３ａは平坦面で構成され、表面の平坦面領域２３ａには、複数の光源（例えば、ＬＥＤ等の半導体発光素子）１１が所定の間隔で実装された基板１２が面接触した状態で取り付けられている。
【００２５】
光源実装基板１２の前方には、光源１１を上方から覆うようにカバーレンズ３０が配設されている。
【００２６】
カバーレンズ３０は、正面視で長尺形状を有し、長手方向に延びるドーム状のレンズ部３１と、レンズ部３１の周縁部から該周縁部に沿ってレンズ部３１と反対方向に環状に延びる脚部３２と、レンズ部３１の周縁部から該周縁部に沿って側方に環状に延びるフランジ部３３を有している。
【００２７】
そして、カバーレンズ３０に形成された上記脚部３２がハウジング２０に形成された環状の溝部２５内に挿入されてシール剤（図示せず）によって固定することにより、ハウジング２０とカバーレンズ３０とが一体化されて内部１３が密閉状態に保持されている。
【００２８】
筐体フレーム４０は、図７（正面図）、図８（背面斜視図）、図９（図７のＥ−Ｅ断面図）及び図１０（図７のＦ−Ｆ断面図）に示すように、軽量で放熱性が良好な金属板（例えば、アルミニウム板）に板金加工を施して形成され、有底開口で矩形浅底の箱状を呈しており、底部に対応する前板部４１及び前板部４１の四辺の夫々から立ち上がる側板部４６で構成されている。
【００２９】
前板部４１には、内面４１ａに、光源ユニット１０を取り付けるための適宜な高さの複数のボス４２が立設されている。ボス４２は、全てが同一の高さに設定され、内側に雌ねじ４２ａが切られている。
【００３０】
また、前板部４１には、光源ユニット１０を取り付けたときに光源ユニット１０のカバーレンズ３０のレンズ部３１が露出するように該レンズ部３１に対応する形状（長尺状）寸法の、前板部４１を貫通する複数（本実施形態においては８つ）の窓孔４３が形成されている。
【００３１】
夫々の窓孔４３の周縁部は、該周縁部に沿って内側に折り曲げられて立ち上がる環状の折曲部４４を有している。
【００３２】
なお、前板部４１には、窓孔４３の他に、筐体フレーム４０内に侵入した水（具体的には雨水）を外に逃がす水抜き用の貫通孔（水抜き穴）４５が目立たないように四隅に設けられている。なお、水抜き穴４５は必ずしも前板部４１の四隅に設ける必要はなく、前板部４１内の適宜な位置に適宜な数だけ設けることも可能である。また、四隅と共に前板部４１内に設けることも可能である。
【００３３】
上記からわかるように、夫々の窓孔４３に対して、該窓孔４３の長手方向の両側方に一対のボス４２が立設されており、その間隔は光源ユニット１０のハウジング２０に設けられた一対の貫通孔２６と同一間隔に設定されている。
【００３４】
照明器具１の組み立てに際しては、図３及び図１１（背面斜視図）に示すように、筐体フレーム４０の前板部４１に設けられた複数の窓孔４３の夫々の長手方向の両側方に立設された一対のボス４２の上端に、光源ユニット１０のハウジング２０の両端近傍の表面２３側を当接させ、一対のボス４２の夫々のねじ孔と光源ユニット１０のハウジング２０の両端近傍に形成された一対の貫通孔２６の夫々との位置を合わせてねじ止めする。
【００３５】
これにより、複数の光源ユニット１０の夫々が一対のボス４２を介して筐体フレーム４０の前板部４１に内側から固定される。
【００３６】
その後、図１２（背面斜視図）に示すように、内部に複数の光源ユニット１０が支持固定された筐体フレーム４０の開口を塞ぐように、同様に軽量で放熱性が良好な金属板（例えば、アルミニウム板）に板金加工を施して形成された筐体カバー５０が組み付けられ、筐体フレーム４０と筐体カバー５０とが一体化されて照明器器具１の組み立てが完了する。
【００３７】
なお、組み立てが完了した照明器具１は、街路灯などの屋外用として用いられるため、筐体フレーム４０の前板部４１を下方に向けた状態、換言すると、光源ユニット１０のカバーレンズ３０のレンズ部３１が下方を向くように設置される。
【００３８】
なお、筐体カバー５０には、夫々の光源ユニット１０に対応する位置に該光源ユニット１０に設けられた放熱フィン２２の配設領域に対応する寸法形状の放熱用の貫通孔５１が設けられている。したがって、この放熱用貫通孔５１を介して雨水が直接光源ユニット１０（具体的には、光源ユニット１０の裏面側の特に放熱フィン２２）にかかることになるが、光源ユニット１０は完全防水構造を有しているため光源ユニット１０内に雨水が侵入するおそれはない。それよりも、放熱フィン２２に雨水がかかることによってかえって放熱効果が高められる利点を有している。
【００３９】
また、筐体カバー５０の放熱用貫通孔５１を介して照明器具１内に侵入した雨水は、筐体フレーム４０に設けられた水抜き孔４５から排出されるために照明器具１の内部に溜まることはない。
【００４０】
光源ユニット１０が筐体フレーム４０の前板部４１に取り付けられた状態において、光源ユニット１０のカバーレンズ３０の周縁部と筐体フレーム４０の前板部４１の窓孔４３の周縁部との位置関係を見ると（図３参照）、図１３（図３のＧ部拡大詳細図）に示すように、筐体フレーム４０の前板部４１に形成された窓孔４３の折曲部４４の前端４４ａがカバーレンズ３０のフランジ部３３の前面３３ａ側に回り込んだ状態となっている。
【００４１】
そして、カバーレンズ３０のフランジ部３３の前面３３ａと筐体フレーム４０の窓孔４３の折曲部４４の前端４４ａとの間には間隙Ｈを有している。この間隙Ｈは、筐体フレーム４０の板金加工時に生じる窓孔４３の折曲部４４の形状寸法に対する加工ばらつきを考慮して設けられたものであり、筐体フレーム４０の前板部４１に設けられたボス４２の高さを適宜設定することにより間隔Ｈが確保される。
【００４２】
ところで、上述のように、照明器具１の内部に侵入した雨水は、筐体フレーム４０の前板部４１四隅に設けられた水抜き孔４５から排出されるが、窓孔４３の周縁部が平坦な場合（以下、図示せず説明のみとする）は、窓孔４３の周縁部の先端とカバーレンズ３０のフランジ部３３の前面３３ａとの間隙からも雨水が排出される。
【００４３】
排出された雨水は、カバーレンズ３０のフランジ部３３からレンズ部３１の側面を伝って流れ落ちて正面側まで達し、乾燥した後にレンズ部３１の表面に雨水の汚れが付着して残る。その結果、カバーレンズ３０のレンズ部３１での光の透過率が低下し、時間と共に照射光量が減少する。
【００４４】
それに対し、本実施形態においては、図１３に戻って、筐体フレーム４０の前板部４１に形成された窓孔４３の周縁部を、該周縁部に沿って内側に折り曲げて立ち上げることにより環状の折曲部４４とした。これにより、照明器具１の内部に侵入した雨水は折曲部４４で堰き止められて窓孔４３の折曲部４４の先端４４ａとカバーレンズ３０のフランジ部３３の前面３３ａとの間隙Ｈからは雨水が排出されるおそれはない。
【００４５】
そのため、カバーレンズ３０のレンズ部３１に雨水による汚れが付着することがなく、レンズ部３１の光の透過率の低下を招くことがない。したがって、雨水の影響によって照明器具１からの出射光量が減少するといった問題の発生は防止される。
【００４６】
なお、折曲部４４は上述したように雨水の堰き止めを目的に設けられている。そのため、堰き止めの目的を達するためには平面状、多角面状あるいは湾曲面状などの種々の形状が可能である。また、前板部４１からの立ち上がり角度は、加工形成方法も考慮して９０°以上の適度な角度に設定される。
【符号の説明】
【００４７】
１…  照明器具
１０…  光源ユニット
１１…  光源
１２…  基板
１３…  内部
２０…  ハウジング
２１…  裏面
２２…  放熱フィン
２３…  表面
２３ａ…  領域
２４…  立壁部
２４ａ…  内側立壁部
２４ｂ…  外側立壁部
２５…  溝部
２６…  貫通孔
３０…  カバーレンズ
３１…  レンズ部
３２…  脚部
３３…  フランジ部
３３ａ…  前面
４０…  筐体フレーム
４１…  前板部
４１ａ…  内面
４２…  ボス
４２ａ…  雌ねじ
４３…  窓孔
４４…  折曲部
４４ａ…  先端
４５…  水抜き孔
４６…  側板部
５０…  筐体カバー
５１…  放熱用貫通孔
【図１】
2019008979.tif 000003
【図２】
2019008979.tif 000004
【図３】
2019008979.tif 000005
【図４】
2019008979.tif 000006
【図５】
2019008979.tif 000007
【図６】
2019008979.tif 000008
【図７】
2019008979.tif 000009
【図８】
2019008979.tif 000010
【図９】
2019008979.tif 000011
【図１０】
2019008979.tif 000012
【図１１】
2019008979.tif 000013
【図１２】
2019008979.tif 000014
【図１３】
2019008979.tif 000015
【図１４】
2019008979.tif 000016